(57)【要約】      （修正有）【課題】セルフロックの機能を実現し、ユーザは、蓋が自動的に開くことを心配せず安心して使用することができ、機能の信頼性が高く、操作が簡単で、設計が合理的で、且つロック解除部材の触感が良いセルフロック型保温コップを提供する。【解決手段】セルフロック型保温コップ１は、コップ本体１０と、蓋１１とを備える。蓋は、第１の蓋体１２と、第２の蓋体１３と、ロックボタン１４と、リング部１５とを含み、リング部が、ロックする時に第２の蓋体とロックボタンに接続され、ボタンを押下することができない。【選択図】図１
0003182570.tif 000002
【実用新案登録請求の範囲】
【請求項１】
コップ本体と、蓋とを備えるセルフロック型保温コップであって、
前記蓋は、
前記コップ本体の上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部と係着し、前記ロックボタンの第２端に凸柱が形成され、前記凸柱の周りに復帰ばねが設けられ、前記復帰ばねの第１端が前記ロックボタンに当接するとともに前記第１ばねの第２端が前記第１の蓋体に当接されるロックボタンと、
第３枢着軸を介して第２の蓋体の第２端に枢着され、ロック時に前記第２第２鉤部を圧迫して前記第１鉤部と係着するリング部と、
を含むことを特徴とするセルフロック型保温コップ。
【請求項２】
前記第１鉤部に第３枢着部が形成され、前記リング部の両端が第３枢着軸を介して第３枢着部に枢着されていることを特徴とする、請求項１に記載のセルフロック型保温コップ。
【請求項３】
前記リング部の内側に凹溝が設けられ、前記第２鉤部の外側には、ロック時に前記凹溝に係合される第１突条が設けられ、前記第３枢着部の上表面には、ロック解除時に前記凹溝に係合される第２突条が設けられていることを特徴とする、請求項１に記載のセルフロック型保温コップ。
【請求項４】
前記第１枢着軸にねじりばねが設けられていることを特徴とすることを特徴とする、請求項１に記載のセルフロック型保温コップ。
【考案の詳細な説明】
【技術分野】
【０００１】
本考案は、コップに関し、特に、セルフロック機能を有するセルフロック型保温コップに関するものである。
【背景技術】
【０００２】
トリガー式の保温コップは、使用上便利で、蓋上のオープンボタンを軽く押すだけで、蓋が開かれる。しかしながら、このような保温コップは、開きやすいため、不意に自動的に開くことがしばしばあり、そのため、内部の水が流出し損害が生じてしまう。
【考案の概要】
【考案が解決しようとする課題】
【０００３】
本考案が解決しようとする課題は、構造が簡単で、不意に開くことを避けられるセルフロック型保温コップを提供することである。
【課題を解決するための手段】
【０００４】
前記技術的効果を実現するため、本考案に係るセルフロック型保温コップは、コップ本体と、蓋とを備えるセルフロック型保温コップであって、
前記蓋は、
前記コップ本体の上部に接続され、第１端が外へ延出して第１枢着部を形成した第１の蓋体と、
第１端が第１枢着軸を介して前記第１枢着部に枢着され、第２端に第１鉤部が設けられた第２の蓋体と、
第２枢着部が設けられ、第２枢着軸を介して前記第１の蓋体の第２端に枢着するロックボタンであって、前記ロックボタンの第１端に第２鉤部が形成され、前記第２鉤部が前記第１鉤部と係着し、前記ロックボタンの第２端に凸柱が形成され、前記凸柱の周りに復帰ばねが設けられ、前記復帰ばねの第１端が前記ロックボタンに当接するとともに前記復帰ばねの第２端が前記第１の蓋体に当接されるロックボタンと、
第３枢着軸を介して第２の蓋体の第２端に枢着され、ロック時に前記第２第２鉤部を圧迫して前記第１鉤部と係着するリング部とを含む。
【０００５】
本考案は、さらに、以下のように改良されている。前記第１鉤部に第３枢着部が形成され、前記リング部の両端が第３枢着軸を介して第３枢着部に枢着されている。
【０００６】
本考案は、さらに、以下のように改良されている。前記リング部の内側に凹溝が設けられ、前記第２鉤部の外側には、ロック時に前記凹溝に係合される第１突条が設けられ、前記第３枢着部の上面には、ロック解除時に前記凹溝に係合される第２突条が設けられている。
【０００７】
本考案は、さらに、以下のように改良されている。前記第１枢着軸にねじりばねが設けられている。
【０００８】
本考案は、さらに、以下のように改良されている。第１の蓋体の中部が上に向かって延出して飲み口を形成し、前記第２の蓋体の内側に飲み口に対応するＯリングが設けられている。
【考案の効果】
【０００９】
本考案は、以上の技術案を用いることにより、以下の有利な効果を奏する。ロックボタンを押して第１の蓋体及び第２の蓋体のロックを解除することで、第２の蓋体が開かれ、ロックする時にリング部が前記ロックボタンの第２鉤を圧迫して前記第２の蓋体の第１鉤と係着することにより、ボタンは押下することができなくなり、第２の蓋体は開くことができず、セルフロックの機能を実現し、ユーザは、蓋が自動的に開くことを心配せず安心して使用することができる。このような構造は、機能の信頼性が高く、操作が簡単で、設計が合理的で、且つロック解除部材の触感が良い。
【図面の簡単な説明】
【００１０】
【図１】本考案に係るセルフロック型保温コップを示す構造図。
【図２】本考案に係るセルフロック型保温コップの一部を拡大して示す構造図。
【図３】本考案に係るセルフロック型保温コップのロックが解除された後の構造図。
【図４】本考案に係るセルフロック型保温コップの開放後の状態を示す構造図。
【考案を実施するための形態】
【００１１】
以下に、添付図面を参照しながら具体的な実施例により本考案を詳細に説明する。
【００１２】
図１に示すように、本考案に係るセルフロック型保温コップ１は、コップ本体１０と、蓋１１とを備え、ここで、蓋１１は、主に、第１の蓋体１２と、第２の蓋体１３と、ロックボタン１４と、リング部１５とで構成されている。コップ本体１０の上部開口端にねじ山が設けられ、第１の蓋体１２の内側にコップ本体１０の上部のねじ山に対応するねじ山が設けられており、第１の蓋体１２がコップ本体１０の上部に螺合する。
【００１３】
第１の蓋体１２の第１端１２１が外へ延出して第１枢着部１９１を形成し、第２の蓋体１３の第１端１３１が第１枢着軸１６１を介して第１枢着部１９１に枢着され、第１枢着軸１６１の周りにねじりばねが設けられることにより、第２の蓋体１３が第１枢着軸１６１の回りを第１の蓋体１２上で自動的に回動することができる。第１の蓋体１２の中央部が上に向かって延在して飲み口を形成し、第２の蓋体１３の内側に当該飲み口に対応して密封して漏れを防止するためのＯリング１３０が設けられている。第２の蓋体１３の第２端１３２に第１鉤部１７１が設けられ、第１鉤部１７１の開口が外部に向かって設けられている。第１鉤部１７１に第３枢着部１９３が形成され、第３枢着部１９３の上表面に第２突条１７４が設けられている。
【００１４】
ロックボタン１４には第２枢着部１９２が設けられ、この第２枢着部１９２は第２枢着軸１６２を介して第１の蓋体１２の第２端１２２に枢着している。図２に示すように、ロックボタン１４の第１端１４０１に第２鉤部１７２が形成され、第２鉤部１７２がロック時に第１鉤部１７１と係着し、第２鉤部１７２の外側に第１突条１７３が設けられている。ロックボタン１４の第２端１４０２に凸柱１４１が形成され、凸柱１４１の周りに復帰ばね１８が設けられ、復帰ばね１８の第１端がロックボタン１４に当接され、復帰ばね１８の第２端が第１の蓋体１２に当接されている。ロックボタン１４の凸柱１４１の他方の側に押圧端１４２が突出して形成されている。図３及び図４に示すように、押圧端１４２を押せば、図４に示すように、凸柱１４１の復帰ばね１８が圧縮され、ロックボタン１４が第２枢着軸１６２の回りを反時計回りに回転し、第２鉤部１７２と第１鉤部１７１とが係合位置から離脱するようになり、そして、第１枢着軸１６１上のねじりばねの付勢により、第２の蓋体１３が第１枢着軸１６１の回りを自動的に回動して開けられ、ロックボタン１４が復帰ばね１８の付勢により元の位置に復帰することで、保温コップ１の自動開放の構造を形成する。
【００１５】
さらに、図２に示すように、リング部１５の両端が第３枢着軸１６３を介して第１鉤部１７１の第３枢着部１９３に枢着され、リング部１５の内側に凹溝１５０が設けられ、ロック時に当該凹溝１５０は第２鉤部１７２の第１突条１７３と係合し合い、ロックボタン１４の第２鉤部１７２を圧迫して第２の蓋体１３の第１鉤部１７１と係合させ、ロックボタン１４は押下することができなくなり、第２の蓋体１３は開くことができず、セルフロックの機能が実現される。図３に示すように、ロック解除する時に第３枢着部１９３の上表面の第２突条１７４がリング部１５の凹溝１５０に係合してリング部１５が固定されることにより、落下して使用に影響を与えない。
【００１６】
一方、逆の操作は、第２の蓋体１３を第１枢着軸１６１の周りに回転させ、元の位置まで復帰させ、第１鉤部１７１と第２鉤部１７２とを係合位置で係合し、リング部１５を下へ回すと、リング部１５が第３枢着軸１６３の回りを反時計まわりに回転し、リング部１５の凹溝１５０は、第２突条１７４から離れて第１突条１７３と係合し、リング部１５が第２鉤部１７２を圧迫して第１鉤部１７１と係合し、ロックボタン１４がロックされ、ロックボタン１４は押下することができなくなり、第２の蓋体１３は開くことができず、セルフロックの機能を実現し、ユーザは、蓋が自動的に開くことを心配せず安心して使用することができる。このような構造は、機能の信頼性が高く、操作が簡単で、設計が合理的で、且つロック解除部材の触感が良い。
【符号の説明】
【００１７】
１…セルフロック型保温コップ、
１０…コップ本体、
１１…蓋、
１２…第１の蓋体、
１２１…第１端、
１３…第２の蓋体、
１３１…第１端、
１３２…第２端、
１４…ロックボタン、
１４０１…第１端、
１４０２…第２端、
１４１…凸柱、
１３０…Ｏリング、
１４２…押圧端、
１５…リング部、
１５０…凹溝、
１６１…第１枢着軸、
１６２…第２枢着軸、
１６３…第３枢着軸、
１７１…第１鉤部、
１７２…第２鉤部、
１７３…第１突条、
１７４…第２突条、
１８…復帰ばね、
１９１…第１枢着部、
１９２…第２枢着部、
１９３…第３枢着部。
【図１】
0003182570.tif 000003
【図２】
0003182570.tif 000004
【図３】
0003182570.tif 000005
【図４】
0003182570.tif 000006